(57)【要約】【課題】簡易な操作で老人の安否情報の確認が行える通信端末及び情報報知方法を提供することを目的とする。【解決手段】本発明に係る通信端末は、ユーザの操作を受け付ける操作受付部と、操作受付部によってユーザの操作が受け付けられると、他の通信端末に対し、所定の情報を送信する情報報知部とを備える。例えば、携帯端末の表示部に操作を促すメッセージを表示させ、それを確認したユーザがメッセージに従って携帯端末を操作すると、他の携帯端末に所定のメッセージを表示する。【選択図】図１
2013225237.tif 000002
【特許請求の範囲】
【請求項１】
ユーザの操作を受け付ける操作受付部と、
前記操作受付部によって前記ユーザの操作が受け付けられると、他の通信端末に対し、所定の情報を送信する情報報知部と、を備えた通信端末。
【請求項２】
ユーザに所定の操作を促す情報を提示する操作催促部を更に有する、請求項１に記載の通信端末。
【請求項３】
前記操作催促部は、前記他の通信端末からの制御信号に基づいて、前記ユーザに所定の操作を促す情報を提示する、請求項２に記載の通信端末。
【請求項４】
第１の通信端末によって第１ユーザの操作を受け付け、
前記第１の通信端末によって前記第１ユーザの操作が受け付けられると、第２の通信端末に対し、所定の情報を送信する情報報知方法。
【請求項５】
前記第２の通信端末によって第２ユーザの操作を受け付け、
前記第２の通信端末によって前記第２ユーザの操作が受けられると、前記第１の通信端末に、前記第２ユーザに所定の操作を促すよう情報を提示する、請求項４に記載の情報通信方法。
【発明の詳細な説明】
【技術分野】
【０００１】
本発明は、情報の報知元の端末から、情報の報知先の端末に所定の情報を伝達する報知システム及び報知方法に関する。
【背景技術】
【０００２】
近年では、核家族化が進み、家族と離れて生活している独り暮らしの老人が増えている。このような独り暮らしの老人に対しては、従来より、老人側もしくは家族側からの電話連絡により老人の安否確認を行っている。しかしながら、安否確認のために、一日に何度も頻繁に電話をかけるのは両者にとって面倒であり、より簡易な操作で安否確認を行うシステムが望まれている。
【０００３】
特許文献１には、生活者宅の部屋または電気機器で消費される消費電力量の履歴を、負荷データとして記憶する記憶装置と、生活者の標準の在宅状態を表す標準在宅確認データを、前記記憶装置に記憶されている負荷データを基にして作成し、当日の負荷データの推移から得た在宅確認データと標準在宅確認データとから、生活者の在宅状態を判定する処理装置とを備える在宅確認システムが開示されている。
【先行技術文献】
【特許文献】
【０００４】
【特許文献１】特願２００９−２３４４９２
【発明の概要】
【発明が解決しようとする課題】
【０００５】
しかしながら、特許文献１に開示されたシステムでは、老人の使用する電気機器の消費電力に基づいて安否確認を行うため、老人が長期で外出してしまった場合には、家族は安否確認を行うことができない。また、家族が急に老人の安否確認を行いたい場合には、別途、電話を老人にかけて老人の様子を確認しなければならないといった煩雑さがある。
【０００６】
よって、本発明は、このような問題点に対してなされたものであり、老人及び家族の双方が、簡易な操作で老人の安否確認を行うことができる通信端末及び情報報知方法を提供することを目的とする。
【課題を解決するための手段】
【０００７】
本発明に係る情報端末は、ユーザの操作を受け付ける操作受付部と、前記操作受付部によって前記ユーザの操作が受け付けられると、他の通信端末に対し、所定の情報を送信する情報報知部とを備える。
【０００８】
このように、ユーザの操作に基づいて他の通信端末に所定の情報を送信することにより、情報の報知元のユーザは、簡易な操作のみで所望の情報を他の通信端末のユーザに報知することができる。
【発明の効果】
【０００９】
本発明に係る情報報知システムによれば、老人及び家族の双方からの簡易な操作があったときに、家族が老人の安否確認を行うことができる。
【図面の簡単な説明】
【００１０】
【図１】本発明の情報報知システムの全体構成を示す図である。
【図２】本発明の情報報知システムの第１通信端末の表示画面を示す図である。
【図３】本発明の情報報知システムの動作を示すフローチャートである。
【発明を実施するための形態】
【００１１】
実施の形態．
以下、図面を参照して本発明の実施の形態について説明する。本発明に係る情報報知システム１００は、第１通信端末１１、第２通信端末１２を備えている。第１通信端末１１及び第２通信端末１２は、例えば、既存の携帯電話端末に、後述する本発明の機能を搭載することにより実施することができる。第１通信端末１１と第２通信端末１２は、ネットワークを介して接続されており、相互に通信可能に構成されている。例えば、第１通信端末１１は、独り暮らしをしている老人に携帯され、第２通信端末１２は、その老人と離れて暮らす家族によって携帯される。
【００１２】
第１通信端末１１は、第１通信端末１１のユーザである第１ユーザの操作を受け付ける操作受付部１１１と、操作受付部１１１の操作に応じて第２通信端末１２に所定の情報を報知する情報報知部１１２と、第１ユーザに所定の操作を促す操作催促部１１３を備えている。
【００１３】
操作受付部１１１は、第１ユーザが画面に接触したことを検出するタッチパネルや、第１ユーザの発した音を検知するマイク、第１ユーザの画像を取得するカメラ等の様々な検出センサによって構成することができる。また、これらの検出センサを組み合わせて操作受付部１１１を構成することもできる。なお、以下の説明では、操作受付部１１１を、タッチパネルによって構成した場合を例にとって説明を行う。
【００１４】
操作受付部１１１は、ユーザの操作、すなわち、タッチパネルへの接触を検出し、この検出信号を、情報報知部１１２に出力するよう構成されている。
【００１５】
情報報知部１１２は、操作受付部１１１から検出信号を入力すると、第２通信端末１２に対し、予め設定された所定のメッセージを送信する。例えば、第１通信端末１１の第１ユーザが一人暮らしの老人であり、第２通信端末１２の第２ユーザがその老人の家族である場合には、第２通信端末１２に対し、「無事に生活しています」、「○○さんより、応答がありました」といったような老人の安否を知らせるメッセージを送信する。
【００１６】
操作催促部１１３は、後述する第２通信端末１２の催促制御部１２１から送信される制御信号に基づいて、第１ユーザに所定の操作を行うよう催促をする。例えば、操作催促部１１３は、第２通信端末１２より制御命令を受け付けると、図２に示すように、第１通信端末１１の表示画面に「タッチしてください」といったようなメッセージを表示する。これにより、老人は、第１通信端末１１にどのような操作を行えばよいか、簡単に知ることができる。
【００１７】
第２通信端末１２は、催促制御部１２１と、情報確認部１２２を備えている。催促制御部１２１は、第１通信端末１１に対し、第１ユーザに操作の催促を行うよう制御命令を行う。情報確認部１２２は、第１通信端末１１の情報報知部１１２から所定の情報を受け取ると、その情報を第２ユーザに提示する。具体的には、情報確認部１２２は、「無事に生活しています」、「○○さんより、応答がありました」といったメッセージを画面に表示する。なお、報知方法については、メッセージに限られず、音声によって第２ユーザに、第１ユーザの安否を提示するように構成してもよい。
【００１８】
なお、図１の例では、本システムは、第１通信端末１１と第２通信端末１２のみによって構成されているが、両者のメッセージを中継するサーバ等を備えるよう構成してもよい。
【００１９】
次に、このように構成された情報報知システム１００の動作について説明する。図３は、本発明の情報報知システム１００の動作を示すフローチャートである。はじめに、第２通信端末１２の催促制御部１２１は、第２ユーザの操作に基づいて、第１通信端末１１に対し、第１ユーザに操作の催促を行うよう制御命令を行う（Ｓ１）。
【００２０】
第１通信端末１１の操作催促部１１３は、第２通信端末１２の催促制御部１２１から送信される制御信号に基づいて、第１ユーザに所定の操作を行うよう催促をする情報を提示する（Ｓ２）。この操作の催促を確認した第１ユーザが、この催促に反応し、催促の指示に従った操作を行う。これにより、第１ユーザの操作が操作受付部１１１によって受け付けられ、操作受付部１１１は検出信号を出力する（Ｓ３）。情報報知部１１２は、操作受付部１１１からの検出信号を入力すると、第２ユーザの端末に対し、予め設定された所定のメッセージを送信する（Ｓ４）。
【００２１】
第２通信端末１２の情報確認部１２２は、第１通信端末１１の情報報知部１１２から所定の情報を受け取ると、その情報を第２ユーザに提示する（Ｓ５）。具体的には、所定のメッセージを表示部に表示させたり、音や振動により、第１通信端末１１から応答があったことを報知する。
【００２２】
このように、本実施の形態に係る情報報知システムによれば、第１ユーザの簡単な操作（例えば、タッチ操作）に基づいて、第２通信端末の所定のメッセージが送信される。そのため、第１及び第２ユーザの双方向の簡単な操作に基づいて、所望の情報を、第２ユーザに伝達することができる。
【００２３】
また、第２通信端末１２の催促制御部１２１から送信される制御信号に基づいて、第１ユーザに所定の操作を行うよう催促をするため、第２ユーザは、第１ユーザの安否を確認したい任意のタイミングで、第１ユーザの情報を取得することができる。また、第１ユーザは、図２に示すように、「タッチしてくさい」といったようなメッセージが表示されたたときだけ、指示に従いタッチパネルを操作すればよいので、複雑な操作を要しない。
【００２４】
なお、上記の説明では、第２通信端末１２の催促制御部１２１からの制御信号に基づいて、第１通信端末１１の第１ユーザに操作を行うよう促す情報を提示しているが、第１通信端末１１が予め決まった時間間隔で、第１ユーザに操作を行うよう促す情報を提示するよう構成することもできる。
【００２５】
なお、上記の説明では、本システムを一人暮らしの老人の安否確認を行うシステムとして説明したが、例えば、本発明は、防犯用のシステムに適用させることができる。具体的には、第１ユーザが緊急時に所定のボタンを押下した場合に、第１通信端末１に、図２に示すような画面を表示させる。そして、第１通信端末１１が第１ユーザの操作を受け付けると、第２通信端末に所定のメッセージが届くように構成することができる。この場合、第１通信端末から送信されるメッセージに、第１通信端末の位置情報を添付するよう構成してもよい。また、第２通信端末１２の催促制御部１２１から、図２に示す画面を表示するよう、第１通信端末１１に制御命令を送信してもよい。
【００２６】
なお、本発明は上記実施の形態に限られたものではなく、趣旨を逸脱しない範囲で適宜変更することが可能である。上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。）
【００２７】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００２８】
１１  第１通信端末
１２  第２通信端末
１１１  操作受付部
１１２  情報報知部
１１３  操作催促部
１２１  催促制御部
１２２  情報確認部
【図１】
2013225237.tif 000003
【図２】
2013225237.tif 000004
【図３】
2013225237.tif 000005